(57)【要約】【課題】プラグの安易な脱落を防止するとともに、過大な引っ張り力がコードに加わった場合にはプラグが脱落してコードの断線を防止できるようにする。【解決手段】壁埋込形子機２０が有するコンセント２１の外側に形成された第１の可撓部材２２と係止するようにナースコール子機１０のプラグ１１に第１の係止部１３を形成する。また、第１の可撓部材２２の外側に形成した第２の可撓部材２３と係止するようにプラグ１１に第２の係止部１５を形成する。第１の係止部１３と第１の可撓部材２２との係止、および第２の係止部１５と第２の可撓部材２３との係止により簡単にプラグ１１が脱落することを防ぐようにするとともに、ある程度大きな引っ張り力がプラグ１１に加わった場合には、第１の可撓部材２２および第２の可撓部材２３が撓んで、第１の係止部１３および第２の係止部１５との係止が外れるようにする。【選択図】        図１
2008136788.tif 000002
【特許請求の範囲】
【請求項１】
壁埋込形子機が有するコンセントと接続可能に成されたプラグを有するナースコール子機において、
上記コンセントの外側に形成された第１の可撓部材と係止するように上記プラグに形成された第１の係止部と、
上記第１の可撓部材の外側に形成された第２の可撓部材と係止するように上記プラグに形成された第２の係止部とを備えたことを特徴とするナースコール子機。
【請求項２】
上記第２の係止部は、上記プラグの長手方向に前後移動が可能なように上記プラグに嵌合させたリング部に形成されていることを特徴とする請求項１に記載のナースコール子機。
【請求項３】
上記リング部の上記プラグの先端方向への移動を制限するように上記プラグに形成されたストッパを備えたことを特徴とする請求項２に記載のナースコール子機。
【請求項４】
ナースコール子機が有するプラグと接続可能に成されたコンセントを有する壁埋込形子機において、
上記プラグに形成された第１の係止部と係止するように上記コンセントの外側に形成された第１の可撓部材と、
上記プラグに形成された第２の係止部と係止するように上記第１の可撓部材の外側に形成された第２の可撓部材とを備えたことを特徴とする壁埋込形子機。
【請求項５】
コンセントと、
上記コンセントの外側に形成された第１の可撓部材と、
上記第１の可撓部材の外側に設けられた第２の可撓部材と、
上記コンセントに接続可能に成されたプラグと、
上記第１の可撓部材と係止するように上記プラグに形成された第１の係止部と、
上記第２の可撓部材と係止するように上記プラグに形成された第２の係止部とを備えたことを特徴とするコンセントとプラグとの接続構造。
【発明の詳細な説明】
【技術分野】
【０００１】
本発明は、ナースコール子機、壁埋込形子機、およびコンセントとプラグの接続構造に関し、特に、壁面のコンセントにプラグを接続して使用するように成された機器の接続構造に関するものである。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、単に「患者」と言う）が呼出ボタン等を押下することによって看護師や介護師（以下、単に「看護師」と言う）を呼び出すことができるように成されたシステムである。
【０００３】
多くのナースコールシステムは、病室のベッドサイドなどに設置するハンド形子機や握り押しボタン等のナースコール子機を備えて構成されている。病室の各患者のベッドサイドの壁には壁埋込形子機が埋め込み設置されていて、ナースコール子機のプラグはこの壁埋込形子機が備えているコンセントに接続される。
【０００４】
ところで、ナースコール子機は、そのコードをベッドの柵に括り付けて使用される場合がある。この状態でベッドを移動すると、ナースコール子機も一緒に移動してナースコール子機のコードが引っ張られる状態となる。このとき、ナースコール子機のプラグが壁埋込形子機のコンセントに強固に接続されていると、コードが断線してしまうという問題があった。これに対して、ある程度の引っ張り力をかけると、ナースコール子機のプラグが壁埋込形子機のコンセントから脱落するように成された技術が提供されている（例えば、特許文献１参照）。
【特許文献１】特開２００２−１５８０６３号公報
【発明の開示】
【発明が解決しようとする課題】
【０００５】
しかしながら、壁埋込形子機のコンセントとナースコール子機のプラグとの接続が弱く、コードが引っ張られたときに壁埋込形子機のコンセントからナースコール子機のプラグがあまりにも簡単に脱落してしまうと、看護師への呼び出しを行うことができなくなってしまう。
【０００６】
なお、プラグの脱落を報知する技術も知られているが、ナースコール子機のプラグが壁埋込形子機のコンセントから簡単に脱落してしまうと、そのようなケースが頻発し、そのたびに看護師が対応しなくてはならなくなり、他の業務に支障をきたすという問題がある。
【０００７】
本発明は、このような問題を解決するために成されたものであり、プラグが簡単に脱落してしまうことを防止するとともに、過大な引っ張り力がコードに加わった場合にはプラグが脱落してコードの断線を防止できるようにすることを目的とする。
【課題を解決するための手段】
【０００８】
上記した課題を解決するために、本発明では、壁埋込形子機が有するコンセントの外側に形成された第１の可撓部材と係止するようにナースコール子機のプラグに第１の係止部を形成する。また、第１の可撓部材の外側に形成した第２の可撓部材と係止するようにプラグに第２の係止部を形成する。
【発明の効果】
【０００９】
上記のように構成した本発明によれば、第１の可撓部材と第１の係止部との係止だけでなく、第２の可撓部材と第２の係止部とが係止しているため、容易にはプラグがコンセントから外れなくなり、プラグの簡単な脱落を防止することができるようになる。また、壁埋込形子機が有する第１の可撓部材と第２の可撓部材は、過大な引っ張り力が加わったときには第１の係止部および第２の係止部との係止が外れるため、コードの断線をも防止することができる。
【発明を実施するための最良の形態】
【００１０】
（第１の実施形態）
以下、本発明の一実施形態を図面に基づいて説明する。図１は、第１の実施形態によるナースコール子機１０と壁埋込形子機２０との接続構造の例を示す図である。なお、ここでは病院に設置されるナースコール子機１０と壁埋込形子機２０とを例にとって説明するが、本実施形態のナースコール子機１０および壁埋込形子機２０は、病院に設置されるものに限定されない。例えば、介護施設等に設置される場合にも適用可能である。
【００１１】
図１に示すように、ナースコール子機１０は、プラグ１１およびコード１２を備えている。また、壁埋込形子機２０は、例えば患者のベッドサイドに設置されるものであり、コンセント２１、第１の可撓部材２２および第２の可撓部材２３を備えている。ナースコール子機１０のプラグ１１は、壁埋込形子機２０のコンセント２１に接続される。コード１２は、例えば、ユーザによってベッドの柵に括り付けられる。
【００１２】
プラグ１１の先端には、壁埋込形子機２０に備えられた第１の可撓部材２２と係止するように形成された第１の係止部１３が設けられている。第１の係止部１３および第１の可撓部材２２は、例えば、直角に曲がった形（鉤状）を有しており、互いにかみ合うよう形成されている。
【００１３】
また、プラグ１１にはリング部１４が一体的に形成されており、リング部１４の先端には第２の係止部１５が形成されている。第２の係止部１５は、壁埋込形子機２０に備えられた第２の可撓部材２３と係止する。第２の係止部１５および第２の可撓部材２３は、例えば、直角に曲がった形（鉤状）を有しており、互いにかみ合うよう形成されている。
【００１４】
第１の可撓部材２２はコンセント２１の外側に、第２の可撓部材２３は第１の可撓部材２２の外側に、可撓性を有する部材で形成される。部材は曲げ撓むことが可能であればよく、例えば、プラスチックやエラストマ素材（合成ゴム、合成樹脂エラストマ、ポリウレタン樹脂エラストマ、シリコーン樹脂エラストマなど）等を用いる。
【００１５】
プラグ１１の先端をコンセント２１に差し込むとき、差し込みの途中では、第１の可撓部材２２が第１の係止部１３に押されて外側に広がる。これと同じくして、第２の可撓部材２３が第２の係止部１５に押されて内側に狭まる。プラグ１１をコンセント２１に完全に差し込むと、外側に広げられていた第２の係止部２２が元の状態に戻り、第１の係止部１３と係止する。また、内側に狭まっていた第２の可撓部材２３も元の状態に戻り、第２の係止部１５と係止する。
【００１６】
次に、第１の実施形態のナースコール子機１０と壁埋込形子機２０の作用について説明する。まず、ユーザは、コンセント２１にプラグ１１を差し込む。このとき、壁埋込形子機２０の第１の可撓部材２２にプラグ１１の第１の係止部１３が係止する。また、このとき壁埋込形子機２０の第２の可撓部材２３にナースコール子機１０の第２の係止部１５が係止する。
【００１７】
このとき、第１の係止部１３と第１の可撓部材２２との係止だけでなく、第２の係止部１５と第２の可撓部材２３とが係止しているため、係止が一箇所だけの場合に比べて、容易にはプラグ１１がコンセント２１から外れなくなる。一方、第１の可撓部材２２および第２の可撓部材２３は可撓性を有する部材で形成されているため、プラグ１１に対して矢印Ａ方向にある程度大きな引っ張り力が加わると、第１の係止部１３と第１の可撓部材２２との係止、および第２の係止部１５と第２の可撓部材２３との係止が外れやすくなる。これらの係止が外れると、これに伴ってプラグ１１もコンセント２１から外れる。
【００１８】
以上詳しく説明したように、第１の実施形態では、第１の係止部１３と第１の可撓部材２２との係止だけでなく第２の係止部１５と第２の可撓部材２３とが係止しているため、容易にはコンセント２１からプラグ１１が外れなくなる。これにより、プラグ１１がコンセント２１から簡単に脱落してしまうことを防止することができる。
【００１９】
また、第１の可撓部材２２および第２の可撓部材２３は可撓性を有する部材で形成されているため、プラグ１１に対して矢印Ａ方向に所定の引っ張り力が加わった場合には、第１の可撓部材２２および第２の可撓部材２３が撓んで、第１の係止部１３および第２の係止部１５との係止が外れる。したがって、コード１２が断線する前にプラグ１１がコンセント２１から脱落するため、コード１２の断線を防止することができる。
【００２０】
なお、第２の係止部１５および第２の可撓部材２３の説明において、第２の可撓部材２３の先端を外側に曲がった形状とし、第２の可撓部材２３が第２の係止部１５に押されて内側に狭まる旨説明したが、これとは逆にしても良い。すなわち、第２の可撓部材２３の先端を内側に曲がった形状とし、第２の可撓部材２３が第２の係止部１５に押されて外側に広がるようにしてもよい。
【００２１】
図２は、第１の実施形態のナースコール子機１０と壁埋込形子機２０との接続構造の他の例を示す図である。図２に示すように、第２の係止部１５は外側に直角に曲がった形状、第２の可撓部材２３は内側に直角に曲がった形状となっている。このように形成すれば、プラグ１１をコンセント２１に差し込んでいる途中では第２の可撓部材２３が第２の係止部１５に押されて外側に広がり、プラグ１１をコンセント２１に完全に差し込むと、第２の可撓部材２３が第２の係止部１５と係止するようになる。
【００２２】
（第２の実施形態）
次に、本発明の第２の実施形態を図面に基づいて説明する。図３は、第２の実施形態によるナースコール子機１０と壁埋込形子機２０との接続構造の例を示す図である。なお、図１に示した構成要素と同一の機能を有する構成要素には同一の符号を付している。
【００２３】
図３に示すように、第２の実施形態においてリング部１４は、プラグ１１に対して、当該プラグ１１の長手方向（図１中の矢印ＡＢ方向）に前後移動が可能なように嵌合されている。プラグ１１をコンセント２１に差し込んだ状態で、リング部１４を矢印Ｂ方向に移動させることにより、第２の可撓部材２３と第２の係止部１５を係止させることができる。
【００２４】
また、プラグ１１の円周部にはストッパ１６が形成されている。ストッパ１６は、リング部１４のプラグ１１の先端方向（図１中の矢印Ｂ方向）への移動を制限するように、例えば凸状に形成する。このストッパ１６は、リング部１４がプラグ１１の先端側から外れないようにする役割、別な言い方をすると、プラグ１１がリング部１４から抜けないようにする役割を持っている。
【００２５】
なお、ストッパ１６の位置をプラグ１１の先端からあまりにも離れた位置に形成すると、リング部１４の矢印Ｂ方向への移動の制限により、第２の係止部１５が第２の可撓部材２３と係止することができなくなる。このため、ストッパ１６の位置は、プラグ１１をコンセント２１に接続したときに第２の係止部１５と第２の可撓部材２３とが係止可能な位置に形成することが必要である。
【００２６】
次に、第２の実施形態のナースコール子機１０と壁埋込形子機２０の作用について説明する。まず、ユーザは、コンセント２１にプラグ１１を差し込む。このとき、壁埋込形子機２０の第１の可撓部材２２にプラグ１１の第１の係止部１３が係止する。続いて、ユーザは、ナースコール子機１０のリング部１４を矢印Ｂ方向に移動して、壁埋込形子機２０の第２の可撓部材２３にナースコール子機１０の第２の係止部１５を係止させる。
【００２７】
第１の係止部１３を第１の可撓部材２２に係止させるのと同時に第２の係止部１５を第２の可撓部材２３に係止させるよりも、第２の係止部１５を第２の可撓部材２３に後から係止させる方が、係止に必要な押す力が少なくて済むため、コンセント２１にプラグ１１をはめ易い。
【００２８】
また、プラグ１１をコンセント２１から意図的に外すときは、リング部１４を矢印Ａ方向に移動して、第２の係止部１５と第２の可撓部材２３との係止を先に外す。その後、プラグ１１を矢印Ａ方向に移動して、第１の係止部１３と第１の可撓部材２２との係止を外す。このように、第１の係止部１３を第１の可撓部材２２から外すのと同時に第２の係止部１５を第２の可撓部材２３から外すよりも、第２の係止部１５と第２の可撓部材２３との係止を先に外す方が、必要な引っ張り力が少なくて済むため、コンセント２１からプラグ１１を外しやすい。
【００２９】
以上詳しく説明したように、第２の実施形態ではリング部１４をプラグ１１に対してその長手方向に前後移動が可能なように嵌合したので、プラグ１１にコンセント２１を差し込んでから、リング部１４を矢印Ｂ方向に移動させて第２の係止部１５を第２の可撓部材２３に係止させることができる。これにより、プラグ１１をコンセント２１に差し込むために必要な押す力が少なくて済み、プラグ１１１をコンセント２１に差し込み易くなる。
【００３０】
また、プラグ１１をコンセント２１から意図的に外すときは、第２の可撓部材２３と第２の係止部１５との係止を先に外すことができるため、コンセント２１からプラグ１１を抜くために必要な引っ張り力が少なくて済み、プラグ１１をコンセント２１から抜き易くなる。
【００３１】
また、リング部１４の第２の係止部１５と第２の可撓部材２３とを係止させるか否かを選択することで、コンセント２１からプラグ１１を抜くために必要な引っ張り力を異ならせることができる。
【００３２】
なお、上記第１の実施形態で説明したように、第２の係止部１５は外側に直角に曲がった形状、第２の可撓部材２３は内側に直角に曲がった形状としてもよい。図４は、この場合の構成例を示す図である。図４に示すように形成すれば、プラグ１１をコンセント２１に差し込んでいる途中では第２の可撓部材２３が第２の係止部１５に押されて外側に広がり、プラグ１１をコンセント２１に完全に差し込むと、第２の可撓部材２３が第２の係止部１５と係止するようになる。
【００３３】
また、上記第１の実施形態および第２の実施形態ではナースコール子機１０のプラグ１１と壁埋込形子機２０のコンセント２１との接続構造について説明したが、これに限定されない。本発明はプラグとコンセントとの接続構造全般に適用可能である。
【００３４】
その他、上記第１の実施形態および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００３５】
【図１】第１の実施形態によるナースコール子機と壁埋込形子機との接続構造の例を示す図である。
【図２】第１の実施形態のナースコール子機と壁埋込形子機との接続構造の他の例を示す図である。
【図３】第２の実施形態によるナースコール子機と壁埋込形子機との接続構造の例を示す図である。
【図４】第２の実施形態のナースコール子機と壁埋込形子機との接続構造の他の例を示す図である。
【符号の説明】
【００３６】
１０  ナースコール子機
１１  プラグ
１２  コード
１３  第１の係止部
１４  リング部
１５  第２の係止部
１６  ストッパ
２０  壁埋込形子機
２１  コンセント
２２  第１の可撓部材
２３  第２の可撓部材
【図１】
2008136788.tif 000003
【図２】
2008136788.tif 000004
【図３】
2008136788.tif 000005
【図４】
2008136788.tif 000006